(57)【特許請求の範囲】
【請求項１】
原稿台上に載置された原稿を押さえる原稿押さえ板であって、ベースユニットと、該ベースユニットに脱着可能に結合される付加ユニットとを備え、
上記付加ユニットは、上記ベースユニットの上面に形成された凹部に入り込み、その側部端面が上記ベースユニットの側部端面で固定されることによって、上記ベースユニットに結合されるようになっており、
上記付加ユニットは、第１ユニット、又は該第１ユニットとは構成が異なる１又は２以上の第２ユニットから、選択可能となっており、
上記第１ユニットは、上記ベースユニットに結合されたときに、略Ｕ字状の原稿搬送経路を経て、上記原稿台上に原稿を送ることができる、自動原稿給紙装置を含んでいることを特徴とする、画像読み取り装置の原稿押さえ板。
【請求項２】
上記ベースユニットは、上記原稿台上の原稿を載置する原稿載置領域の上方に延在し、
上記第１ユニットは、上記ベースユニットに結合されたときに上記原稿台上の上記原稿載置領域に隣接する隣接領域の上方に延在し、上記自動原稿給紙装置は、上記隣接領域内の所定位置を原稿が通過するように原稿を送ることを特徴とする、請求項１記載の画像読み取り装置の原稿押さえ板。
【請求項３】
上記第２ユニットには、上記ベースユニットの上面から連通する連通空間が設けられ、該連通空間は、上記第２ユニットが上記ベースユニットに結合されたときに上記ベースユニットの上面から連続する下面と該下面に対向して延在する上面とを有することを特徴とする、請求項１又は２記載の画像読み取り装置の原稿押さえ板。
【発明の詳細な説明】
【０００１】
【発明の属する技術分野】
本発明は、画像読み取り装置の原稿押さえ板に関する。
【０００２】
【従来の技術】
従来、例えば孔版印刷機では、製版を行うために原稿の画像を読み取る画像読み取り装置を用いている。
【０００３】
一般に、画像を読み取る方法としては、次の２つがある。
【０００４】
第１の方法は、透明な原稿台ガラス上に原稿を置き、上から原稿押さえ板で押さえ、原稿台ガラスの下に配置したスキャナーで、原稿とスキャナーを相対に移動させながら、原稿を読み取る。
【０００５】
第２の方法は、原稿台ガラス上に自動原稿給紙装置を配置し、原稿台ガラスの下に配置したスキャナーで、原稿を読み取る方法である。この方法では、原稿ガラスに対するスキャナーの読み取り位置が固定され、自動原稿給紙装置が、読み取り位置に対して原稿を移動させる原稿移動型と、例えばベルト等により原稿全体を原稿台ガラス上に配置した状態でスキャナーを移動させて原稿を読み取る原稿固定型とがある。
【０００６】
図３は、画像読み取り装置の構成例である。原稿は、原稿台２の上面（不図示の原稿台ガラス上）に載置され、原稿押さえ板８で押さえられる。原稿台２の内部には、反射ミラー３，４，５と、レンズ６、ＣＣＤなどの撮像素子７と、原稿を照明するためのランプ９とが配置されている。
【０００７】
レンズ６は、原稿のイメージを撮像素子７上に結像する。反射ミラー３，４，５とランプ９とは、原稿台２の上面に対して平行に移動する。反射ミラー３およびランプ９と、反射ミラー４および５とは、それぞれ一体的に移動する。反射ミラー３およびランプ９と反射ミラー４および５とは、２：１の速度比で移動し、光路長が一定になるようになっている。
【０００８】
反射ミラー３，４，５およびランプ９を平行移動させながら、撮像素子７で原稿を撮像するにより、上記第１の方法で原稿を読み取ることができる。
【０００９】
原稿押さえ板８を自動原稿給紙装置付きのものに交換し、反射ミラー３，４，５およびランプ９を所定位置（図において点線で示した位置）に固定した状態で、上記第２の方法により原稿を読み取ることができる。
【００１０】
【発明が解決しようとする課題】
一般に、第１の方法のみを行う原稿押さえ板は、標準品として販売される。第２の方法も行うための自動原稿給紙装置が装着された原稿押さえ板は、オプション品として販売され、標準品の原稿押さえ板と付け替える場合が多い。そのような場合には、標準品の原稿押さえ板全体が無駄になる。また、標準品の原稿押さえ板とオプション品の原稿押さえ板とがあると、製造や在庫管理の負担が大きくなる。
【００１１】
したがって、本発明が解決しようとする技術的課題は、製造や在庫管理の負担が小さくなる画像読み取り装置の原稿押さえ板を提供することである。
【００１２】
【課題を解決するための手段および作用・効果】
本発明は、上記技術的課題を解決するために、以下の構成の画像読み取り装置の原稿押さえ板を提供する。
【００１３】
画像読み取り装置の原稿押さえ板は、原稿台上に載置された原稿を押さえる。原稿押さえ板は、ベースユニットと、該ベースユニットに脱着可能に結合される付加ユニットとを備える。上記付加ユニットは、上記ベースユニットの上面に形成された凹部に入り込み、その側部端面が上記ベースユニットの側部端面で固定されることによって、上記ベースユニットに結合される。上記付加ユニットは、第１ユニット、又は該第１ユニットとは構成が異なる１又は２以上の第２ユニットから、選択可能である。上記第１ユニットは、上記ベースユニットに結合されたときに、略Ｕ字状の原稿搬送経路を経て、上記原稿台上に原稿を送ることができる自動原稿給紙装置を含む。
【００１４】
上記構成によれば、画像読み取り装置は、原稿台上に載置されて原稿押さえ板で押さえられた原稿を、読み取ることができる。ベースユニットに第１ユニットを結合した原稿押さえ板が用いられたとき、画像読み取り装置は、自動原稿給紙装置により原稿台上に送られた原稿を、読み取ることができる。自動原稿給紙装置は、原稿台上の固定された読み取り位置に対して原稿を移動させながら読み取るようにする原稿移動型であっても、原稿全体を原稿台上に配置した状態で原稿を読み取るようにする原稿固定型であってもよい。
【００１５】
上記構成によれば、複数タイプから適宜に選択した付加ユニットを結合することにより、複数タイプの原稿押さえ板を提供することができ、その場合、ベースユニットを共通化しているので、製造や在庫管理の負担を小さくすることができる。
【００１６】
好ましくは、上記ベースユニットは、上記原稿台上の原稿を載置する原稿載置領域の上方に延在する。上記第１ユニットは、上記ベースユニットに結合されたときに上記原稿台上の上記原稿載置領域に隣接する隣接領域の上方に延在し、上記自動原稿給紙装置は、上記隣接領域内の所定位置を原稿が通過するように原稿を送る。
【００１７】
上記構成において、画像読み取り装置は、原稿台上に載置されて原稿押さえ板で押さえられた原稿を、原稿載置領域内で読み取り位置を変えながら、読み取ることができる。ベースユニットに第１ユニットを結合した原稿押さえ板が用いられたとき、画像読み取り装置は、移動する原稿を読み取ることができる。このとき、画像読み取り装置は、原稿載置領域と異なる隣接領域の所定位置で、原稿を読み取る。また、ベースユニットに第１ユニットを結合した状態においても、原稿載置領域に原稿を載置でき、原稿載置領域内の原稿を、読み取り位置を変えながら読み取ることも可能である。
【００１８】
上記構成によれば、共通化するベースユニットを相対的に大きく構成し、種々のタイプの付加ユニットを相対的に小さく構成することができる。したがって、製造や在庫管理の負担を一層軽減することができる。
【００１９】
好ましくは、上記第２ユニットには、上記ベースユニットの上面から連通する連通空間が設けられる。該連通空間は、上記第２ユニットが上記ベースユニットに結合されたときに上記ベースユニットの上面から連続する下面と、該下面に対向して延在する上面とを有する。
【００２０】
上記構成によれば、ベースユニットに第２ユニットを結合した原稿押さえ板を用いると、原稿等の用紙を、第２ユニットの連通空間に一端が差し込まれ、他端側がベースユニット上に露出した状態で、原稿押さえ板の上に載置することができる。
【００２１】
上記構成によれば、用紙を差し込む連通空間を有する原稿押さえ板と、自動原稿給紙装置付きの原稿押さえ板とを提供することができる。
【００２２】
【発明の実施の形態】
以下、本発明の実施の形態として一実施例を図１および図２に基づいて説明する。
【００２３】
図１に示したように、ベースユニット１０に対して、標準ユニット２０とオプションユニット３０とを選択的に装着することにより、２種類の原稿押さえ板５０，５２を提供することができる。
【００２４】
図１（ａ）は、前述の第１および第２の方法で画像の読み取りを行うことができるオプション品の原稿押さえ板５０である。
【００２５】
ベースユニット１０は、基板１４の下面に、第１の方法で原稿を読み取る際に原稿を弾力的に押さえる原稿押さえ部１６を備える。基板１４の上方には、湾曲した上面１２が形成されている。
【００２６】
オプションユニット３０は、カバー３６から原稿台３２が突出している。原稿台３２には、原稿の幅に合わせて移動することができる一対の幅ガイド３４が設けられている。
【００２７】
カバー３６内には、略Ｕ字状の原稿搬送経路に沿って、ガイド板６０〜６６と、ローラ４０，４２〜４５と、さばき板５０とが配置されている。原稿台３２上の原稿は、ローラ４０およびさばき板５０により１枚ずつ分離され、ローラ４２〜４５により搬送され、ベースユニット１０の上面１２に排出される。カバー３６は、開閉可能に構成されている。
【００２８】
原稿搬送経路の途中には、原稿読み取り位置の上方に、読み取りローラ４４が配置されている。図４に示すように、読み取りローラ４４は、軸方向両端のフランジ部４４ａの方が中央の原稿送り部４４ｂより外径が大きくなっている。この外径差によって、原稿台ガラス板７０にはフランジ部４４ａが接し、原稿台ガラス板と原稿送り部４４ｂとの間には隙間７２が形成される。原稿は、この隙間７２を通る。フランジ部４４ａと原稿送り部４４ｂとの外径差によって、隙間７２の大きさＤが一定（例えば、０．１５ｍｍ）になるように管理することができ、原稿を安定して搬送することができる。
【００２９】
図２に示すように、オプションユニット３０から突出した取り付けフランジ３８により、ベースユニット１０の端面１１にねじで固定できるようになっている。ベースユニット１０にオプションユニット３０を固定すると、ベースユニット１０の凹部１３に、オプションユニット３０の凸部３１が入り込みむ。このとき、ベースユニット１０の凹部１３内とオプションユニット３０の凸部３１の先端とに配置されたコネクタ１８，４８が、図１（ａ）に示すように、接続される。これにより、オプションユニット３０内のローラ４０，４２〜４６を駆動するための電源がベースユニット１０側から供給される。また、オプションユニット３０内に原稿詰まりを検知するためのセンサ等が設けられている場合には、コネクタ１８，４８を介して、センサ等の信号がベースユニット１０側に送られる。
【００３０】
図１（ｂ）は、前述の第１の方法のみで画像の読み取りを行うことができる標準品の原稿押さえ板５２である。
【００３１】
ベースユニット１０は、上述したオプション品の原稿押さえ板５０と共通である。
【００３２】
標準ユニット２０には、ベースユニット１０の上面１２から連通するポケット２４が設けられ、ベースユニット１０の上面１２に載置した原稿の端部が収納されるようになっている。ポケット２４は、対向する下面２４ａと上面２４ｂとを有する。上面２４ａは、ベースユニット１０の上面１２から連続するようになっている。標準ユニット２０には駆動部やセンサは配置されていないので、ベースユニット１０のコネクタ１８と接続するコネクタは設けられていない。
【００３３】
原稿押さえ板５０，５２は、例えば図３の原稿台２用の原稿押さえ板８として、用いることができる。標準品の原稿押さえ板５２を用いるときには、反射ミラー３，４，５およびランプ９は、実線の位置から平行移動する。オプション品の原稿押さえ板５０を用い、オプションユニット３０により原稿を自動的に給紙しながら読み取るときには、反射ミラー３，４，５およびランプ９は点線の位置に固定される。
【００３４】
標準品の原稿押さえ板５２とオプション品の原稿押さえ板５０とは、ベースユニット１０が共通であるので、製造や在庫管理の負担を小さくすることができる。
【００３５】
すなわち、標準仕様として装置を購入したユーザーが、その後、オプションである自動原稿給紙装置を購入する場合、原稿押さえ板のベースユニットが共通化されているため、ユーザーの費用負担が少なくて済む。製造メーカー側においても、ベースユニットが共通化されているので、原稿押さえ板の総部品点数は従来よりも少なくなり、製造や在庫管理の負担が軽減される。
【００３６】
なお、本発明は上記実施形態に限定されるものではなく、その他種々の態様で実施可能である。
【００３７】
例えば、本発明の原稿押さえ板は、孔版印刷機の製版原稿の読み取りのための画像読み取り装置用として特に好適であるが、これに限定するものでなく、他の用途、例えば複写機やパソコンに接続するイメージスキャナ等にも適用可能である。
【図面の簡単な説明】
【図１】  本発明の実施形態に係る原稿押さえ板の構成図である。
【図２】  オプションの原稿押さえ板の分解斜視図である。
【図３】  従来の画像読み取り装置の構成図である。
【図４】  読み取りローラの正面図である。
【符号の説明】
１０  ベースユニット
２０  標準ユニット（付加ユニット、第２ユニット）
２４  ポケット（連通空間）
２４ａ  下面
２４ｂ  上面
３０  オプションユニット（付加ユニット、第１ユニット）
５０，５２  原稿押さえ板
【図１】
0005065556.tif 000002
【図２】
0005065556.tif 000003
【図３】
0005065556.tif 000004
【図４】
0005065556.tif 000005